(57)【特許請求の範囲】
【請求項１】
大理石柄タイルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色グロスインキを印刷して下地兼意匠層を形成し、該下地兼意匠層上にシルクスクリーン印刷によりシルクスクリーン印刷用無着色グロスインキを印刷して表面兼意匠層を形成したことにより形成したことを特徴とする印刷物。
【請求項２】
砂目柄タイルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成したことにより形成したことを特徴とする印刷物。
【請求項３】
吹き付け塗装の外装材やスタッコ模様調パネルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用グロスＯＰニスを印刷して下地兼意匠層を形成し、該下地兼意匠層上にシルクスクリーン印刷によりシルクスクリーン印刷用無着色グロスインキないしシルクスクリーン印刷用無着色マットインキを印刷して第1凹凸模様層からなる表面兼意匠層を形成したことにより形成したことを特徴とする印刷物。
【請求項４】
吹き付け塗装の外装材やスタッコ模様調パネルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスを印刷して下地兼意匠層を形成し、該下地兼意匠層上にシルクスクリーン印刷によりシルクスクリーン印刷用無着色グロスインキないしシルクスクリーン印刷用無着色マットインキを印刷して第1凹凸模様層からなる表面兼意匠層を形成したことにより形成したことを特徴とする印刷物。
【請求項５】
目地部を有する煉瓦柄パネルの外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成し、該表面兼意匠層上にシルクスクリーン印刷によりシルクスクリーン印刷用無着色グロスインキないしシルクスクリーン印刷用無着色マットインキを印刷して第２凹凸模様層を形成したことにより形成したことを特徴とする印刷物。
【請求項６】
目地部を有する煉瓦柄パネルの外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成し、該表面兼意匠層上にシルクスクリーン印刷によりシルクスクリーン印刷用無着色グロスインキないしシルクスクリーン印刷用無着色マットインキを印刷して第２凹凸模様層を形成したことにより形成したことを特徴とする印刷物。
【請求項７】
織布柄化粧材の内装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスないしオフセット印刷用グロスＯＰニスを印刷して下地兼意匠層を形成し、該下地兼意匠層上にシルクスクリーン印刷によりシルクスクリーン印刷用無着色グロスインキを印刷して凹部を形成すると共にシルクスクリーン印刷によりシルクスクリーン印刷用無着色マットインキを印刷して凸部を形成することで、第１模様層からなる表面兼意匠層を形成したことにより形成したことを特徴とする印刷物。
【請求項８】
織布柄化粧材の内装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスないしオフセット印刷用グロスＯＰニスを印刷して下地兼意匠層を形成し、該下地兼意匠層上にシルクスクリーン印刷によりシルクスクリーン印刷用無着色マットインキを印刷して凹部を形成すると共にシルクスクリーン印刷によりシルクスクリーン印刷用無着色グロスインキを印刷して凸部を形成することで、第１模様層からなる表面兼意匠層を形成したことにより形成したことを特徴とする印刷物。
【請求項９】
前記下地兼意匠層が少なくとも１．５μｍ厚さで形成されていることを特徴とする請求項１ないし請求項８のいずれかに記載の印刷物。
【請求項１０】
前記紙基材の印刷面の光沢度が４５％以上であることを特徴とする請求項１ないし請求項８のいずれかに記載の印刷物。
【発明の詳細な説明】
【０００１】
【発明の属する技術分野】
本発明は、住設業界、内装業界等で商談の際等に広く用いられている見本帳ファイルないし見本帳ファイルに綴じられる見本帳に関し、さらに詳しくは、見本帳に掲載する見本に関するものである。
【０００２】
【従来の技術】
従来、住設業界、内装業界等で商談の際等に用いられる見本帳ファイルないし見本帳は、通常、現物の一部をそのまま台紙に貼り付けた構成となっている。これは、住設業者や内装業者と購入者の双方にとって、現物の凹凸感、艶、色調、、量感、触感等の質感を見て触って確認できることから極めて好ましいものとして重宝されている。
【０００３】
しかし、住設業界や内装業界等にとって、このような見本帳ファイルないし見本帳を制作するに際しては、▲１▼見本帳に貼り付ける現物全部を調達しなければならないという問題、▲２▼調達した現物を台紙に一点一点貼り付けなけれなならないという問題、あるいは、▲３▼これらに起因して制作に長期間を必要とするという問題、さらに、▲４▼これらの問題から制作費用が高くなるという問題があった。
【０００４】
また、このような見本帳ファイルないし見本帳を使用するに際しては、▲５▼非常に嵩張るために取扱い難いという問題や、▲６▼重いために持ち運びが不便であるという問題があり、また、このような見本帳ファイルないし見本帳を廃棄するに際しては、▲７▼廃棄費用が発生すると共に、▲８▼社会的には企業イメージを落とすという問題を抱えていた。
【０００５】
そこで、住設業界や内装業界等からは、上記した▲１▼〜▲８▼の問題を解決することができ、かつ、現物の質感、凹凸感、艶、色調、量感、触感等を有する見本と該見本で構成された見本帳ないし見本帳ファイルが要望されていた。
【０００６】
【発明が解決しようとする課題】
そこで本発明は、上記要望に応えるべくなしたものであって、その第１の目的とするところは、現物の凹凸感、艶、色調、量感、触感等の質感を印刷により表現した印刷物を提供することであり、第２の目的とするところは、この印刷物を見本帳、あるいは、見本帳ファイルとして提供することである。
【０００７】
【課題を解決するための手段】
本発明者等は、上記のような課題を達成するために、請求項１記載の本発明の印刷物は、大理石柄タイルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色グロスインキを印刷して下地兼意匠層を形成し、該下地兼意匠層上にシルクスクリーン印刷によりシルクスクリーン印刷用無着色グロスインキを印刷して表面兼意匠層を形成したことにより形成したことを特徴とするものである。
【０００８】
また、請求項２記載の本発明の印刷物は、砂目柄タイルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成したことにより形成したことを特徴とするものである。
【０００９】
また、請求項３記載の本発明の印刷物は、吹き付け塗装の外装材やスタッコ模様調パネルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用グロスＯＰニスを印刷して下地兼意匠層を形成し、該下地兼意匠層上にシルクスクリーン印刷によりシルクスクリーン印刷用無着色グロスインキないしシルクスクリーン印刷用無着色マットインキを印刷して第1凹凸模様層からなる表面兼意匠層を形成したことにより形成したことを特徴とするものである。
【００１０】
また、請求項４記載の本発明の印刷物は、吹き付け塗装の外装材やスタッコ模様調パネルの内外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスを印刷して下地兼意匠層を形成し、該下地兼意匠層上にシルクスクリーン印刷によりシルクスクリーン印刷用無着色グロスインキないしシルクスクリーン印刷用無着色マットインキを印刷して第1凹凸模様層からなる表面兼意匠層を形成したことにより形成したことを特徴とするものである。
【００１２】
また、請求項５記載の本発明の印刷物は、目地部を有する煉瓦柄パネルの外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成し、該表面兼意匠層上にシルクスクリーン印刷によりシルクスクリーン印刷用無着色グロスインキないしシルクスクリーン印刷用無着色マットインキを印刷して第２凹凸模様層を形成したことにより形成したことを特徴とするものである。
【００１３】
また、請求項６記載の本発明の印刷物は、目地部を有する煉瓦柄パネルの外装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用無着色マットインキを印刷して下地兼意匠層を形成し、該下地兼意匠層上にシルクスクリーン印刷によりシルクスクリーン印刷用無着色マットインキを印刷して表面兼意匠層を形成し、該表面兼意匠層上にシルクスクリーン印刷によりシルクスクリーン印刷用無着色グロスインキないしシルクスクリーン印刷用無着色マットインキを印刷して第２凹凸模様層を形成したことにより形成したことを特徴とするものである。
【００１４】
また、請求項７記載の本発明の印刷物は、織布柄化粧材の内装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスないしオフセット印刷用グロスＯＰニスを印刷して下地兼意匠層を形成し、該下地兼意匠層上にシルクスクリーン印刷によりシルクスクリーン印刷用無着色グロスインキを印刷して凹部を形成すると共にシルクスクリーン印刷によりシルクスクリーン印刷用無着色マットインキを印刷して凸部を形成することで、第１模様層からなる表面兼意匠層を形成したことにより形成したことを特徴とするものである。
【００１５】
また、請求項８記載の本発明の印刷物は、織布柄化粧材の内装材である化粧材の現物の一部を台紙に貼り付けてなる見本帳を印刷で表現した印刷物であって、当該印刷物は、一枚の紙基材上の一部の領域に前記化粧材の現物の一部を印刷により再現した化粧材再現部を形成する一方で当該一枚の紙基材上のその他の領域を化粧材非再現部とし、前記化粧材再現部を前記化粧材非再現部で囲んだ配置としており、前記化粧材再現部は、前記一枚の紙基材上の前記一部の領域にオフセット印刷により絵柄印刷層を形成し、該絵柄印刷層上全面にオフセット印刷によりオフセット印刷用マットＯＰニスないしオフセット印刷用グロスＯＰニスを印刷して下地兼意匠層を形成し、該下地兼意匠層上にシルクスクリーン印刷によりシルクスクリーン印刷用無着色マットインキを印刷して凹部を形成すると共にシルクスクリーン印刷によりシルクスクリーン印刷用無着色グロスインキを印刷して凸部を形成することで、第１模様層からなる表面兼意匠層を形成したことにより形成したことを特徴とするものである。
【００１６】
また、請求項９記載の本発明の印刷物は、請求項１ないし請求項８のいずれかに記載の印刷物において、前記下地兼意匠層が少なくとも１．５μｍ厚さで形成されていることを特徴とするものである。
【００１７】
また、請求項１０記載の本発明の印刷物は、請求項１ないし請求項８のいずれかに記載の印刷物において、前記紙基材の印刷面の光沢度が４５％以上であることを特徴とするものである。
【００２２】
【発明の実施の形態】
上記の本発明について、図面等を用いて以下に更に詳しく説明する。
図１は本発明にかかる印刷物の一実施例を示す平面図、図２は図１の印刷により再現した化粧材の代表的な層構成を示す断面図、図３は本発明にかかる印刷物の他の実施例を示す平面図、図４は本発明にかかる印刷化粧シートの層構成を示す断面図、図５は本発明にかかる印刷物の別の他の実施例を示す平面図、図６は図５のＸ−Ｘ線の断面図であり、図中の１，１’，１’’は印刷物、２は紙基材、３，３’，３''，３''' ，３''''は絵柄印刷層、４，４’，４''は下地兼意匠層、５，５’，５''，５''' は表面兼意匠層、６，６’は第２凹凸模様層、７，７’は第１凹凸模様層、８は凹部、８’は凸部、10，10’，11，11’，12，12’，13，13’，14，14’，15，15’，16，16’は印刷化粧材、17は印刷化粧シート、20は金属光沢を有するシート、21は透明シート、22はアルミニウム蒸着層、30は窓開き印刷層、40は下地意匠層、70は第３凹凸模様層、90，91，92，93，94，95，96は窓開き部をそれぞれ示す。
【００２３】
図１は本発明にかかる印刷物の一実施例を示す平面図であって、印刷物１は一枚の紙基材２上に現物の見本、たとえば、印刷により再現した化粧材の見本帳を示したものである。なお、図１においては図示はしないが印刷により再現した複数種類（図１においては７種類）の化粧材10〜16（以下、印刷化粧材と呼称する）が設けられている。
【００２４】
次に、印刷化粧材の代表的な層構成について図２を用いて説明する。図２は図１の印刷により再現した化粧材の代表的な層構成を示す断面図である。図２（ａ）は凹凸感のない表面を有する印刷化粧材10であって、該印刷化粧材10は紙基材２上にオフセット印刷によりオフセット印刷用プロセスカラーインキで印刷した絵柄印刷層３を形成し、該絵柄印刷層３上全面にオフセット印刷によりオフセット印刷用無着色グロスインキ（以下、オフセット印刷用グロスＯＰニスと呼称する）を印刷して下地兼意匠層４を形成し、該下地兼意匠層４上全面にシルクスクリーン印刷によりシルクスクリーン印刷用無着色グロスインキを印刷して表面兼意匠層５を形成したものである。このような構成の印刷物としては、艶と深みのある質感を持たせることができ、たとえば、大理石柄のタイルに代表される内外装材を表現するのに適している。
【００２５】
図２（ｂ）は上記同様に凹凸感のない表面を有する印刷化粧材11であって、該印刷化粧材11は紙基材２上にオフセット印刷によりオフセット印刷用プロセスカラーインキで印刷した絵柄印刷層３’を形成し、該絵柄印刷層３’上全面にオフセット印刷によりオフセット印刷用無着色マットインキ（以下、オフセット印刷用マットＯＰニスと呼称する）を印刷して下地兼意匠層４’を形成し、該下地兼意匠層４’上全面にシルクスクリーン印刷によりシルクスクリーン印刷用無着色マットインキを印刷して表面兼意匠層５’を形成したものである。このような構成の印刷物としては、艶消しと深みのある質感を持たせることができ、たとえば、砂目柄等のタイルに代表される内外装材を表現するのに適している。
【００２６】
図２（ｃ）は凹凸感のある表面を有する印刷化粧材12であって、該印刷化粧材12は、図２（ａ）に示した前記印刷化粧材10の前記表面兼意匠層５上に前記絵柄印刷層３の模様に合わせてシルクスクリーン印刷によりシルクスクリーン印刷用無着色グロスインキないしシルクスクリーン印刷用無着色マットインキを印刷して第２凹凸模様層６を形成した以外は図２（ａ）に示した前記印刷化粧材10と同じである。また、図２（ｄ）は凹凸感のある表面を有する印刷化粧材13であって、該印刷化粧材13は、図２（ｂ）に示した前記印刷化粧材11の前記表面兼意匠層５’上に前記絵柄印刷層３’の模様に合わせてシルクスクリーン印刷によりシルクスクリーン印刷用無着色グロスインキないしシルクスクリーン印刷用無着色マットインキを印刷して第２凹凸模様層６’を形成した以外は図２（ｂ）に示した前記印刷化粧材11と同じである。このような構成の印刷物としては、艶のある凸部ないし艶消しの凸部と艶のある凹部ないし艶消しの凹部とからなる凹凸と深みのある質感を持たせることができ、たとえば、目地部を有する煉瓦柄等のパネルに代表される外装材を表現するのに適している。
【００２７】
図２（ｅ）は凹凸感のある表面を有する印刷化粧材14であって、該印刷化粧材14は紙基材２上にオフセット印刷によりオフセット印刷用プロセスカラーインキで印刷した絵柄印刷層３''を形成し、該絵柄印刷層３''上全面にオフセット印刷によりオフセット印刷用グロスＯＰニスを印刷して下地兼意匠層４を形成し、該下地兼意匠層４上に前記絵柄印刷層３''の模様に合わせてシルクスクリーン印刷によりシルクスクリーン印刷用無着色グロスインキないしシルクスクリーン印刷用無着色マットインキを印刷して第１凹凸模様層７からなる表面兼意匠層５''を形成したものである。また、図２（ｆ）は凹凸感のある表面を有する印刷化粧材15であって、該印刷化粧材15は紙基材２上にオフセット印刷によりオフセット印刷用プロセスカラーインキで印刷した絵柄印刷層３''' を形成し、該絵柄印刷層３''' 上全面にオフセット印刷によりオフセット印刷用マットＯＰニスを印刷して下地兼意匠層４’を形成し、該下地兼意匠層４’上に前記絵柄印刷層３''' の模様に合わせてシルクスクリーン印刷によりシルクスクリーン印刷用無着色グロスインキないしシルクスクリーン印刷用無着色マットインキを印刷して第１凹凸模様層７からなる表面兼意匠層５''を形成したものである。このような構成の印刷物としては、艶のある凸部ないし艶消しの凸部と艶のある凹部ないし艶消しの凹部とからなる凹凸を強調した質感を持たせることができ、たとえば、吹き付け塗装の外装材やスタッコ調模様等のパネルに代表される内外装材を表現するのに適している。
【００２８】
図２（ｇ）は微妙な凹凸感のある表面を有する印刷化粧材16であって、該印刷化粧材16は紙基材２上にオフセット印刷によりオフセット印刷用プロセスカラーインキで印刷した絵柄印刷層３''''を形成し、該絵柄印刷層３''''上全面にオフセット印刷によりオフセット印刷用マットＯＰニスないしオフセット印刷用グロスＯＰニスを印刷して下地兼意匠層４''を形成し、該下地兼意匠層４''上に前記絵柄印刷層３''''の模様に合わせてシルクスクリーン印刷により艶の異なる２種類のシルクスクリーン印刷用無着色インキで凹部と凸部を形成、たとえば、シルクスクリーン印刷用無着色グロスインキで凹部８を形成するとすれば、凸部８’をシルクスクリーン印刷用無着色マットインキで形成（逆に、図示はしないがシルクスクリーン印刷用無着色グロスインキで凸部８’を形成するとすれば、凹部８をシルクスクリーン印刷用無着色マットインキで形成）した第１凹凸模様層７’からなる表面兼意匠層５''' を形成したものである。このような構成の印刷物としては、艶の異なる２種類のシルクスクリーン印刷用無着色インキで凹凸を表現したものであり、微妙な凹凸感のある質感を持たせることができ、たとえば、織布柄等の化粧材に代表される内装材を表現するのに適している。
【００２９】
なお、実施例に示した本発明の印刷物の層構成は、代表的なものを例示したものであって、これに限定されるものではなく、本発明の趣旨を逸脱しない範疇のものはすべて本発明に含まれるものである。また、本発明に用いる紙基材としては、一般的に紙といわれるもののみならず、合成紙も含むものである。また、前記第１凹凸模様層７，７’及び第２凹凸模様層６，６’の突出高さについても、現物の見本に合わせて適宜決めればよいことはいうまでもないことである。なお、
前記第１凹凸模様層７，７’及び第２凹凸模様層６，６’は、絵柄印刷層の模様に合わせて形成されるものであり、当該絵柄印刷層は、たとえば、図２（ｃ）〜図２（ｇ）に示したように、内外装材として用いられる代表的な模様であり、これらの模様はオフセット印刷用プロセスカラーインキ、すなわち、４色の基準色にて種々の色調表現がなされるものである。ここで色調とは「色彩の強弱、濃淡の調子」（広辞苑より）のことであり、前記絵柄印刷層は、前述の通り種々の色調からなる模様、すなわち、色彩の強い部分や弱い部分、あるいは、濃度の濃い部分や淡い部分からなるものである。したがって、前記第１凹凸模様層７，７’及び第２凹凸模様層６，６’は、絵柄印刷層の種々の色調からなる模様、すなわち、色彩の強い部分や弱い部分、あるいは、濃度の濃い部分や淡い部分に合わせて現物の見本の質感を表現する凹凸模様が形成されるものである。
【００３０】
また、図３は本発明にかかる印刷物の他の実施例を示す平面図であって、印刷物１’は図１に示した印刷物１の、たとえば、印刷により形成した印刷化粧材16に代えて、この部分に艶と凹凸感を主体に表現した金属光沢を有するシート20（図４参照）からなる印刷化粧シート17を貼着したものであって、これ以外は図１に示した印刷物１と同じである。
【００３１】
前記印刷化粧シート17について、図４を用いて説明する。前記印刷化粧シート17は図４に示すように、たとえば、透明シート21の一方の面にアルミニウム蒸着層22を設けた金属光沢を有するシート20の前記透明シート21上全面にシルクスクリーン印刷ないしオフセット印刷により透明性を有するシルクスクリーン印刷用無着色マットインキないしオフセット印刷用マットＯＰニスを印刷して下地意匠層40を形成し、該下地意匠層40上にシルクスクリーン印刷により透明性を有するシルクスクリーン印刷用無着色グロスインキをパターン状に印刷して第３凹凸模様層70を形成したものである。このように構成した前記印刷化粧シート17は、エンボス加工が施されたステンレス板等の金属板（現物の見本）などの凹凸感、艶、色調、量感、触感等からなる質感を表現することができ、これが貼着された印刷物１’は、現物の見本を完全に排除した見本帳とすることができる。なお、上記の説明では、前記下地意匠層40をマットインキないしマットＯＰニスとし、前記第３凹凸模様層70をグロスインキとしたが、これは現物の見本の質感により適宜選択すればよく、前記下地意匠層40をグロスインキないしグロスＯＰニスとし、前記第３凹凸模様層70をマットインキとしてもよい。また、前記第３凹凸模様層70の突出高さについても前記第１凹凸模様層７，７’及び第２凹凸模様６，６’と同様であって、現物の見本に合わせて適宜決めればよいことはいうまでもないことである。また、透明性を有するインキとは、印刷したときに金属光沢が見える程度に透明なインキをいうのであって、無色でもよいし、着色したものであってもよい。
【００３２】
また、前記金属光沢を有するシート20としては、上記したアルミニウム蒸着シートに限ることはなく、たとえば、図示はしないが透明シート21とアルミニウム箔とを積層したアルミニウム箔積層シート、紙にアルミニウムを蒸着したアルミニウム蒸着紙、あるいは、紙とアルミニウム箔とを積層したアルミニウム箔紙、あるいは、アルミニウム箔単体などを適宜用いることができる。また、図示はしないが、必要に応じて、非印刷面側に粘着層を介してセパレート紙を設けた構成として、貼着作業を容易なものとしてもよい。
【００３３】
また、前記金属光沢を有するシート20を構成する透明シート21としては、透明性を有していればよいのであって、特に限定するものではないが、たとえば、ポリプロピレンシート、ポリエステルシートなどが適当である。なお、アルミニウム箔面ないしアルミニウム蒸着面に前記下地意匠層40及び前記第３凹凸模様層70を形成する場合においては、アルミニウム箔積層紙やアルミニウム蒸着紙と同じであって、必ずしも透明性を有していなくてもよい。また、前記金属光沢を有するシート20を構成する紙についても、特に限定するものではなく、塗工紙、非塗工紙、あるいは、合成紙のいずれであっても構わない。また、前記第３凹凸模様層70のパターンとしては、ヘアライン模様、千鳥模様等の格子模様、スタッコ調模様、市松模様、ドット（網点）模様等の連続した規則正しい凹凸模様を適宜用いることができる。
【００３４】
また、図５、図６に示すように、前記金属光沢を有するシート20の前記透明シート21上に、たとえば、シルクスクリーン印刷により隠蔽性を有するシルクスクリーン用印刷インキ、たとえば、白インキを用いて７つの金属光沢を有する窓開き部90，91，92，93，94，95，96を形成するように印刷して窓開き印刷層30を設け、その後、たとえば、前記窓開き部91の前記透明シート21上に図４に示したような下地意匠層40を設けると共に、該下地意匠層40上に第３凹凸模様層70を設けて、エンボス加工が施されたステンレス板等の金属板（現物の見本）などの凹凸感、艶、色調、量感、触感等からなる質感を印刷により表現した印刷化粧材11’からなる印刷物１’’としてもよい。当然、前記窓開き部91以外の前記窓開き部90，92，93，94，95，96には、別のエンボス加工が施されたステンレス板等の金属板（別の現物の見本）などの凹凸感、艶、色調、量感、触感等からなる質感を印刷により表現した印刷化粧材10’，12’，13’，14’，15’，16’が設けられている。
【００３５】
【発明の効果】
本発明の印刷物は、今まで縷々説明してきたように、現物の持つ凹凸感、艶、色調、量感、触感等の質感を印刷により表現することができるという優れた効果を奏するものである。また、本発明の印刷物を見本帳、あるいは、見本帳ファイルに用いることにより、従来の見本帳において問題であった▲１▼見本帳に貼り付ける現物全部を調達しなければならないという問題、▲２▼調達した現物を台紙に一点一点貼り付けなけれなならないという問題、あるいは、▲３▼これらに起因して制作に長期間を必要とするという問題、さらに、▲４▼これらの問題から制作費用が高くなるという問題、また他方において見本帳ファイルないし見本帳を使用するに際しては、▲５▼非常に嵩張るために取扱い難いという問題や、▲６▼重いために持ち運びが不便であるという問題、また、このような見本帳ないし見本帳ファイルを廃棄するに際しては、▲７▼廃棄費用が発生すると共に、▲８▼社会的には企業イメージを落とすという問題をすべて解決することができるという極めて顕著な効果を奏するものである。
【図面の簡単な説明】
【図１】本発明にかかる印刷物の一実施例を示す平面図である。
【図２】図１の印刷により再現した化粧材の代表的な層構成を示す断面図である。
【図３】本発明にかかる印刷物の他の実施例を示す平面図である。
【図４】本発明にかかる印刷化粧シートの層構成を示す断面図である。
【図５】本発明にかかる印刷物の別の他の実施例を示す平面図である。
【図６】図５のＸ−Ｘ線の断面図である。
【符号の説明】
１，１’，１’’                      印刷物
２                                    紙基材
３，３’，３''，３''' ，３''''        絵柄印刷層
４，４’，４''                        下地兼意匠層
５，５’，５''，５'''                 表面兼意匠層
６，６’                              第２凹凸模様層
７，７’                              第１凹凸模様層
８                                    凹部
８’                                  凸部
10，10’，11，11’                    印刷化粧材
12，12’，13，13’                    印刷化粧材
14，14’，15，15’，16，16’          印刷化粧材
17                                    印刷化粧シート
20                                    金属光沢を有するシート
21                                    透明シート
22                                    アルミニウム蒸着層
30                                    窓開き印刷層
40                                    下地意匠層
70                                    第３凹凸模様層
90，91，92，93，94，95，96            窓開き部
【図１】
0004984370.tif 000002
【図２】
0004984370.tif 000003
【図３】
0004984370.tif 000004
【図４】
0004984370.tif 000005
【図５】
0004984370.tif 000006
【図６】
0004984370.tif 000007